(57)【要約】【課題】磁気ヘッドのチャンネル数が増えて磁気ヘッドの幅が広くなっても、また、カードに記録された磁気データの読取りとカードへの磁気データの記録とを磁気ヘッドで行う場合であっても、磁気ヘッドから引き出されるフレキシブルプリント基板のコストを低減しつつ、曲りカードに対する磁気ヘッドの追従性を確保することが可能な磁気ヘッドユニットを提供する。【解決手段】この磁気ヘッドユニットは、磁気ヘッド６と、磁気ヘッド６で読み取られた磁気データの読取り信号を伝える読取り信号配線が形成されるＦＰＣ１１と、磁気ヘッド６で記録される磁気データの記録信号を伝える記録信号配線が形成されるＦＰＣ１２とを備えている。ＦＰＣ１１とＦＰＣ１２とは、別体で形成され、ＦＰＣ１１とＦＰＣ１２とが重なった状態で磁気ヘッド６から引き出されているとともに、ＦＰＣ１１とＦＰＣ１２とが重なった状態で所定の位置まで引き回されている。【選択図】図８
2019149214.tif 000002
【特許請求の範囲】
【請求項１】
カードに記録された磁気データの読取りおよび前記カードへの磁気データの記録を行う磁気ヘッドと、前記磁気ヘッドを保持するヘッド保持板と、前記磁気ヘッドで読み取られた磁気データの読取り信号を伝える読取り信号配線が形成されるとともに前記磁気ヘッドから引き出される第１フレキシブルプリント基板と、前記磁気ヘッドで記録される磁気データの記録信号を伝える記録信号配線が形成されるとともに前記磁気ヘッドから引き出される第２フレキシブルプリント基板とを備え、
前記第１フレキシブルプリント基板と前記第２フレキシブルプリント基板とは、別体で形成され、前記第１フレキシブルプリント基板と前記第２フレキシブルプリント基板とが重なった状態で前記磁気ヘッドから引き出されているとともに、前記第１フレキシブルプリント基板と前記第２フレキシブルプリント基板とが重なった状態で所定の位置まで引き回されていることを特徴とする磁気ヘッドユニット。
【請求項２】
前記第１フレキシブルプリント基板が接続されるリジッド基板を備え、
前記リジッド基板には、前記磁気ヘッドの端子から出力されるアナログ状の出力信号を復調してデジタル状の復調信号を生成する復調用電子部品と、前記復調信号を暗号化して前記読取り信号を生成する暗号化用電子部品とが実装され、
前記復調用電子部品は、前記リジッド基板の一方の面に実装され、
前記暗号化用電子部品は、前記リジッド基板の他方の面に実装され、
前記リジッド基板は、前記磁気ヘッドのケース体に固定され、
前記復調用電子部品は、前記ケース体の内部に配置され、
前記暗号化用電子部品は、前記ケース体の外部に配置され、
前記第２フレキシブルプリント基板は、前記暗号化用電子部品を覆っていることを特徴とする請求項１記載の磁気ヘッドユニット。
【請求項３】
請求項１または２記載の磁気ヘッドユニットを備えるカードリーダであって、
前記ヘッド保持板を支持する２本の支持ピンを備え、
２本の前記支持ピンは、前記カードリーダの内部を移動する前記カードの移動方向に間隔をあけた状態で配置され、
前記ヘッド保持板は、前記カードの移動方向を回動の軸方向とする回動が可能となるように２本の前記支持ピンに支持されていることを特徴とするカードリーダ。
【請求項４】
前記カードの移動方向の一方を第１方向とし、第１方向の反対方向を第２方向とすると、
前記第１フレキシブルプリント基板および前記第２フレキシブルプリント基板は、前記磁気ヘッドから第１方向側に引き出された後に折り返されて第２方向側に伸びており、
前記読取り信号は、前記磁気ヘッドの端子から出力されるアナログ状の出力信号を復調して生成されたデジタル状の復調信号が暗号化された暗号化信号であり、
前記第２フレキシブルプリント基板の、折り返されて第２方向側へ伸びる部分と、前記第１フレキシブルプリント基板の、折り返されて第２方向側へ伸びる部分とは、重なっており、
前記第２フレキシブルプリント基板の、折り返されて第２方向側へ伸びる部分は、前記第１フレキシブルプリント基板の、折り返されて第２方向側へ伸びる部分よりも前記磁気ヘッド側に配置されていることを請求項３記載のカードリーダ。
【請求項５】
前記第２フレキシブルプリント基板は、前記記録信号配線が形成されるデータ信号層と、自身が断線したことおよび短絡したことの少なくともいずれか一方を検知するための破壊検知信号配線が形成されるとともに前記データ信号層と重なる破壊検知信号層とを備えることを特徴とする請求項３または４記載のカードリーダ。
【請求項６】
前記カードの移動方向の一方を第１方向とし、第１方向の反対方向を第２方向とすると、
前記第１フレキシブルプリント基板および前記第２フレキシブルプリント基板は、前記磁気ヘッドから第１方向側に引き出された後に折り返されて第２方向側に伸びており、
前記第２フレキシブルプリント基板の、折り返されて第２方向側へ伸びる部分では、前記データ信号層は、前記破壊検知信号層よりも前記磁気ヘッド側に配置されていることを特徴とする請求項５記載のカードリーダ。
【請求項７】
前記第２フレキシブルプリント基板を前記カードリーダのフレームに固定するためのネジを備え、
前記カードの移動方向の一方を第１方向とし、第１方向の反対方向を第２方向とすると、
前記第１フレキシブルプリント基板および前記第２フレキシブルプリント基板は、前記磁気ヘッドから第１方向側に引き出された後に折り返されて第２方向側に伸びており、
前記ネジは、前記第２フレキシブルプリント基板の、折り返されて第２方向側へ伸びる部分を前記フレームに固定し、
前記第２フレキシブルプリント基板は、自身が断線したことおよび短絡したことの少なくともいずれか一方を検知するための第２破壊検知信号配線が形成される第２破壊検知信号層を備え、
前記磁気ヘッドに繋がる前記第２フレキシブルプリント基板の一端部と前記ネジとの間では、前記データ信号層は、前記破壊検知信号層によって一方側から覆われ、
前記第２フレキシブルプリント基板の他端部と前記ネジとの間では、前記データ信号層は、前記破壊検知信号層と前記第２破壊検知信号層とに挟まれていて、前記破壊検知信号層によって一方側から覆われ、前記第２破壊検知信号層によって他方側から覆われていることを特徴とする請求項５または６記載のカードリーダ。
【発明の詳細な説明】
【技術分野】
【０００１】
本発明は、カードに記録された磁気データの読取りとカードへの磁気データの記録とを行う磁気ヘッドを有する磁気ヘッドユニットに関する。また、本発明は、かかる磁気ヘッドユニットを備えるカードリーダに関する。
【背景技術】
【０００２】
従来、カードに記録された磁気データの読取りやカードへの磁気データの記録を行うカードリーダが知られている（たとえば、特許文献１参照）。特許文献１に記載のカードリーダは、カードリーダに挿入されたカードの幅方向で隣接配置される２個の磁気ヘッドを備えている。２個の磁気ヘッドのうちの一方の磁気ヘッドは、「ＪＩＳＸ６３０２−２」等で規定されるカードの磁気ストライプの「トラック１」、「トラック２」に記録された磁気データの読取り等を行うための２チャンネル型の磁気ヘッドであり、他方の磁気ヘッドは、「ＪＩＳＸ６３０２−２」等で規定されるカードの磁気ストライプの「トラック３」に記録された磁気データの読取り等を行うための１チャンネル型の磁気ヘッドである。
【０００３】
特許文献１に記載のカードリーダでは、２個の磁気ヘッドのそれぞれからフレキシブルプリント基板（ＦＰＣ（Ｆｌｅｘｉｂｌｅ  Ｐｒｉｎｔｅｄ  Ｃｉｒｃｕｉｔｓ））が引き出されている。また、２個の磁気ヘッドのそれぞれは、ヘッド保持板に保持されている。ヘッド保持板は、第１支持部と第２支持部とに支持されており、磁気ヘッドは、磁気ヘッドが接触するカードの曲がりに追従するようになっている。そのため、特許文献１に記載のカードリーダでは、ある程度曲がったカードがカードリーダに取り込まれても、カードに記録された磁気データの適切な読取り等を磁気ヘッドで行うことが可能になっている。
【先行技術文献】
【特許文献】
【０００４】
【特許文献１】特開２０１１−２０４３２０号公報
【発明の概要】
【発明が解決しようとする課題】
【０００５】
本願発明者は、たとえば、特許文献１に記載のカードリーダにおいて、カードリーダの構成を簡素化するため、２個の磁気ヘッドを一体化して３チャンネル型の磁気ヘッドにすることを検討している。２個の磁気ヘッドを一体化して３チャンネル型の磁気ヘッドにする場合、磁気ヘッドの幅が広くなって、磁気ヘッドがカードの曲がりに追従しにくくなるおそれがある。そのため、この場合には、カードの曲がりに対する磁気ヘッドの追従性を確保するための配慮が必要になる。
【０００６】
また、本願発明者は、３チャンネル型の磁気ヘッドによって、カードに記録された磁気データの読取りとカードへの磁気データの記録とを行うことを検討している。この場合、たとえば、磁気ヘッドから引き出される１本のＦＰＣにおいて、３チャンネル分の磁気データの読取り信号配線が形成される読取りデータ信号層と、３チャンネル分の磁気データの記録信号配線が形成される記録データ信号層とを積層して、多層構造のＦＰＣとすれば良い。しかしながら、読取りデータ信号層と記録データ信号層とが積層された多層構造のＦＰＣのコストは、高くなる。
【０００７】
一方で、３チャンネル分の磁気データの読取り信号配線と３チャンネル分の磁気データの記録信号配線とを同じデータ信号層に形成すれば、ＦＰＣのコストを低減することが可能になる。しかしながら、この場合には、３チャンネル分の磁気データの読取り信号配線と３チャンネル分の磁気データの記録信号配線とが同じデータ信号層に形成されているため、磁気ヘッドから引き出されるＦＰＣの幅が広くなる。磁気ヘッドから引き出されるＦＰＣの幅が広くなると、ＦＰＣの影響で、磁気ヘッドがカードの曲がりに追従しにくくなるおそれがある。
【０００８】
すなわち、３チャンネル型の磁気ヘッドにするに当たって、カードの曲がりに対する磁気ヘッドの追従性を確保するための配慮をしなければならないにもかかわらず、３チャンネル分の磁気データの読取り信号配線と３チャンネル分の磁気データの記録信号配線とが同じデータ信号層に形成されると、幅が広くなったＦＰＣの影響で、磁気ヘッドがカードの曲がりに追従しにくくなるおそれがある。
【０００９】
そこで、本発明の課題は、磁気ヘッドのチャンネル数が増えて磁気ヘッドの幅が広くなっても、また、カードに記録された磁気データの読取りとカードへの磁気データの記録とを磁気ヘッドで行う場合であっても、磁気ヘッドから引き出されるフレキシブルプリント基板のコストを低減しつつ、曲りカードに対する磁気ヘッドの追従性を確保することが可能な磁気ヘッドユニットを提供することにある。また、本発明の課題は、かかる磁気ヘッドユニットを備えるカードリーダを提供することにある。
【課題を解決するための手段】
【００１０】
上記の課題を解決するため、本発明の磁気ヘッドユニットは、カードに記録された磁気データの読取りおよびカードへの磁気データの記録を行う磁気ヘッドと、磁気ヘッドを保持するヘッド保持板と、磁気ヘッドで読み取られた磁気データの読取り信号を伝える読取り信号配線が形成されるとともに磁気ヘッドから引き出される第１フレキシブルプリント基板と、磁気ヘッドで記録される磁気データの記録信号を伝える記録信号配線が形成されるとともに磁気ヘッドから引き出される第２フレキシブルプリント基板とを備え、第１フレキシブルプリント基板と第２フレキシブルプリント基板とは、別体で形成され、第１フレキシブルプリント基板と第２フレキシブルプリント基板とが重なった状態で磁気ヘッドから引き出されているとともに、第１フレキシブルプリント基板と第２フレキシブルプリント基板とが重なった状態で所定の位置まで引き回されていることを特徴とする。
【００１１】
本発明の磁気ヘッドユニットは、磁気データの読取り信号を伝える読取り信号配線が形成される第１フレキシブルプリント基板と、磁気データの記録信号を伝える記録信号配線が形成される第２フレキシブルプリント基板とを備えており、第１フレキシブルプリント基板と第２フレキシブルプリント基板とは、別体で形成されている。そのため、本発明では、１本のフレキシブルプリント基板に、複数チャンネル分の磁気データの読取り信号を伝える読取り信号配線が形成されるデータ信号層と、複数チャンネル分の磁気データの記録信号を伝える記録信号配線が形成されるデータ信号層とが積層されて形成されている場合と比較して、第１フレキシブルプリント基板および第２フレキシブルプリント基板のコストを低減することが可能になる。
【００１２】
また、本発明では、第１フレキシブルプリント基板と第２フレキシブルプリント基板とは、第１フレキシブルプリント基板と第２フレキシブルプリント基板とが重なった状態で磁気ヘッドから引き出されているとともに、第１フレキシブルプリント基板と第２フレキシブルプリント基板とが重なった状態で所定の位置まで引き回されている。そのため、本発明では、１本のフレキシブルプリント基板の同じデータ信号層に、複数チャンネル分の磁気データの読取り信号を伝える読取り信号配線と複数チャンネル分の磁気データの記録信号を伝える記録信号配線とが形成されていて、磁気ヘッドから引き出されて引き回されるフレキシブルプリント基板の幅が広くなる場合と比較して、曲りカードに対する磁気ヘッドの追従性を確保することが可能になる。
【００１３】
したがって、本発明では、磁気ヘッドのチャンネル数が増えて磁気ヘッドの幅が広くなっても、また、カードに記録された磁気データの読取りとカードへの磁気データの記録とを磁気ヘッドで行う場合であっても、磁気ヘッドから引き出されるフレキシブルプリント基板のコストを低減しつつ、曲りカードに対する磁気ヘッドの追従性を確保することが可能になる。
【００１４】
本発明において、磁気ヘッドユニットは、第１フレキシブルプリント基板が接続されるリジッド基板を備え、リジッド基板には、磁気ヘッドの端子から出力されるアナログ状の出力信号を復調してデジタル状の復調信号を生成する復調用電子部品と、復調信号を暗号化して読取り信号を生成する暗号化用電子部品とが実装され、復調用電子部品は、リジッド基板の一方の面に実装され、暗号化用電子部品は、リジッド基板の他方の面に実装され、リジッド基板は、磁気ヘッドのケース体に固定され、復調用電子部品は、ケース体の内部に配置され、暗号化用電子部品は、ケース体の外部に配置され、第２フレキシブルプリント基板は、暗号化用電子部品を覆っていることが好ましい。このように構成すると、復調信号を暗号化して読取り信号を生成する暗号化用電子部品を第２フレキシブルプリント基板で保護することが可能になる。
【００１５】
本発明の磁気ヘッドユニットは、カードリーダに用いることができる。このカードリーダは、たとえば、ヘッド保持板を支持する２本の支持ピンを備え、２本の支持ピンは、カードリーダの内部を移動するカードの移動方向に間隔をあけた状態で配置され、ヘッド保持板は、カードの移動方向を回動の軸方向とする回動が可能となるように２本の支持ピンに支持されている。このカードリーダでは、磁気ヘッドのチャンネル数が増えて磁気ヘッドの幅が広くなっても、また、カードに記録された磁気データの読取りとカードへの磁気データの記録とを磁気ヘッドで行う場合であっても、磁気ヘッドから引き出されるフレキシブルプリント基板のコストを低減しつつ、曲りカードに対する磁気ヘッドの追従性を確保することが可能になる。
【００１６】
本発明において、カードの移動方向の一方を第１方向とし、第１方向の反対方向を第２方向とすると、第１フレキシブルプリント基板および第２フレキシブルプリント基板は、磁気ヘッドから第１方向側に引き出された後に折り返されて第２方向側に伸びており、読取り信号は、磁気ヘッドの端子から出力されるアナログ状の出力信号を復調して生成されたデジタル状の復調信号が暗号化された暗号化信号であり、第２フレキシブルプリント基板の、折り返されて第２方向側へ伸びる部分と、第１フレキシブルプリント基板の、折り返されて第２方向側へ伸びる部分とは、重なっており、第２フレキシブルプリント基板の、折り返されて第２方向側へ伸びる部分は、第１フレキシブルプリント基板の、折り返されて第２方向側へ伸びる部分よりも磁気ヘッド側に配置されていることが好ましい。
【００１７】
このように構成すると、カードリーダの外側から見たときに、第２フレキシブルプリント基板の、折り返されて第２方向側へ伸びる部分の少なくとも一部が第１フレキシブルプリント基板の、折り返されて第２方向側へ伸びる部分に覆われているため、犯罪者は、カードリーダの外側からデータ不正取得用の信号線を第２フレキシブルプリント基板の記録信号配線に取り付けにくくなる。したがって、犯罪者による磁気データの記録信号の不正取得を阻止することが可能になる。なお、第１フレキシブルプリント基板の読取り信号配線を伝わる磁気データの読取り信号は、暗号化信号であるため、犯罪者がデータ不正取得用の信号線を第１フレキシブルプリント基板の読取り信号配線に取り付けても、有意な磁気データを取得することは困難である。
【００１８】
本発明において、たとえば、第２フレキシブルプリント基板は、記録信号配線が形成されるデータ信号層と、自身が断線したことおよび短絡したことの少なくともいずれか一方を検知するための破壊検知信号配線が形成されるとともにデータ信号層と重なる破壊検知信号層とを備えている。この場合には、犯罪者が磁気データの記録信号を不正に取得しようとして、データ不正取得用の信号線を第２フレキシブルプリント基板の記録信号配線に取り付けようとしたときに、破壊検知信号配線に断線や短絡を生じさせることが可能になり、その結果、犯罪行為が行われていることを検知することが可能になる。したがって、犯罪者による磁気データの記録信号の不正取得を阻止することが可能になる。
【００１９】
本発明において、カードの移動方向の一方を第１方向とし、第１方向の反対方向を第２方向とすると、第１フレキシブルプリント基板および第２フレキシブルプリント基板は、磁気ヘッドから第１方向側に引き出された後に折り返されて第２方向側に伸びており、第２フレキシブルプリント基板の、折り返されて第２方向側へ伸びる部分では、データ信号層は、破壊検知信号層よりも磁気ヘッド側に配置されていることが好ましい。すなわち、本発明において、第２フレキシブルプリント基板の、折り返されて第２方向側へ伸びる部分では、データ信号層が破壊検知信号層よりもカードリーダの内側に配置されていることが好ましい。
【００２０】
このように構成すると、第２フレキシブルプリント基板の、折り返されて第２方向側へ伸びる部分において、犯罪者が磁気データの記録信号を不正に取得しようとして、カードリーダの外側からデータ不正取得用の信号線を記録信号配線に取り付けようとしたときに、破壊検知信号配線に断線や短絡が生じやすくなり、その結果、犯罪行為が行われていることをより検知しやすくなる。したがって、犯罪者による磁気データの記録信号の不正取得を効果的に阻止することが可能になる。
【００２１】
本発明において、カードリーダは、第２フレキシブルプリント基板をカードリーダのフレームに固定するためのネジを備え、カードの移動方向の一方を第１方向とし、第１方向の反対方向を第２方向とすると、第１フレキシブルプリント基板および第２フレキシブルプリント基板は、磁気ヘッドから第１方向側に引き出された後に折り返されて第２方向側に伸びており、ネジは、第２フレキシブルプリント基板の、折り返されて第２方向側へ伸びる部分をフレームに固定し、第２フレキシブルプリント基板は、自身が断線したことおよび短絡したことの少なくともいずれか一方を検知するための第２破壊検知信号配線が形成される第２破壊検知信号層を備え、磁気ヘッドに繋がる第２フレキシブルプリント基板の一端部とネジとの間では、データ信号層は、破壊検知信号層によって一方側から覆われ、第２フレキシブルプリント基板の他端部とネジとの間では、データ信号層は、破壊検知信号層と第２破壊検知信号層とに挟まれていて、破壊検知信号層によって一方側から覆われ、第２破壊検知信号層によって他方側から覆われていることが好ましい。
【００２２】
このように構成すると、磁気ヘッドに繋がる第２フレキシブルプリント基板の一端部とネジとの間では、データ信号層が第２破壊検知信号層によって他方側から覆われていないため、第２フレキシブルプリント基板の一端部とネジとの間では、第２フレキシブルプリント基板の厚さを薄くすることが可能になる。したがって、第２フレキシブルプリント基板に破壊検知信号層が形成されていても、第２フレキシブルプリント基板の一端部とネジとの間において、第２フレキシブルプリント基板の剛性を低下させることが可能になり、その結果、曲りカードに対する磁気ヘッドの追従性を確保することが可能になる。
【００２３】
また、このように構成すると、第２フレキシブルプリント基板の他端部とネジとの間では、データ信号層は、破壊検知信号層と第２破壊検知信号層とに挟まれていて、破壊検知信号層によって一方側から覆われ、第２破壊検知信号層によって他方側から覆われているため、第２フレキシブルプリント基板の、他端部とネジとの間の部分がどのように引き回されていても、犯罪者が磁気データの記録信号を不正に取得しようとして、データ不正取得用の信号線を記録信号配線に取り付けようとしたときに、破壊検知信号配線または第２破壊検知信号配線に断線や短絡を生じさせて、犯罪行為が行われていることを検知することが可能になる。したがって、犯罪者による磁気データの記録信号の不正取得を効果的に阻止することが可能になる。
【００２４】
なお、第２フレキシブルプリント基板の、他端部とネジとの間の部分は、曲りカードに対する磁気ヘッドの追従性に影響を与えない。そのため、第２フレキシブルプリント基板の、他端部とネジとの間の部分に第２破壊検知信号層が形成されていて、第２フレキシブルプリント基板のこの部分の厚さが厚くなっていても、曲りカードに対する磁気ヘッドの追従性を確保することが可能になる。
【発明の効果】
【００２５】
以上のように、本発明では、磁気ヘッドのチャンネル数が増えて磁気ヘッドの幅が広くなっても、また、カードに記録された磁気データの読取りとカードへの磁気データの記録とを磁気ヘッドで行う場合であっても、磁気ヘッドから引き出されるフレキシブルプリント基板のコストを低減しつつ、曲りカードに対する磁気ヘッドの追従性を確保することが可能になる。
【図面の簡単な説明】
【００２６】
【図１】本発明の実施の形態にかかるカードリーダの概略構成を説明するための側面図である。
【図２】図１に示すカードの平面図である。
【図３】図１に示す磁気ヘッドユニットの構成を説明するための斜視図である。
【図４】図１に示す磁気ヘッドユニットの構成を説明するための斜視図である。
【図５】図１に示す磁気ヘッドユニットの構成を説明するための斜視図である。
【図６】図１に示す磁気ヘッドユニットの構成を説明するための斜視図である。
【図７】図４に示す第２フレキシブルプリント基板の構成を説明するための図である。
【図８】図６に示す第１フレキシブルプリント基板および第２フレキシブルプリント基板の引き回しを説明するための概略図である。
【発明を実施するための形態】
【００２７】
以下、図面を参照しながら、本発明の実施の形態を説明する。
【００２８】
（カードリーダの概略構成）
図１は、本発明の実施の形態にかかるカードリーダ１の概略構成を説明するための側面図である。図２は、図１に示すカード２の平面図である。
【００２９】
本形態のカードリーダ１は、カード２に記録されたデータの読取りおよびカード２へのデータの記録を行うための装置であり、たとえば、ＡＴＭ等の所定の上位装置に搭載されて使用される。カードリーダ１は、カード２を搬送するための駆動ローラ３およびパッドローラ４を備えるカード搬送式のカードリーダである。カードリーダ１の内部には、カード２が搬送されるカード搬送路５が形成されている。
【００３０】
カード２は、厚さが０．７〜０．８ｍｍ程度の略長方形状の塩化ビニール製のカードである。図２に示すように、カード２の裏面には、磁気データが記録される磁気ストライプ２ａが形成されている。磁気ストライプ２ａは、略長方形状に形成されるカード２の長手方向に沿って形成されている。本形態のカード２は、ＪＩＳ規格やＩＳＯ規格に準拠したカードであり、磁気ストライプ２ａでは、「トラック１」、「トラック２」および「トラック３」の３つのトラックに磁気データが記録されている。なお、カード２には、ＩＣチップが内蔵されても良い。
【００３１】
カード搬送路５で搬送されるカード２は、図１等のＸ方向へ移動する。すなわち、Ｘ方向は、カードリーダ１の内部を移動するカード２の移動方向である。本形態では、カード２は、カード２の長手方向がカード２の移動方向と一致した状態で、カードリーダ１に挿入されて、カード搬送路５で搬送される。Ｘ方向に直交するＺ方向は、カード搬送路５で搬送されるカード２の厚さ方向であり、Ｚ方向とＸ方向とに直交するＹ方向は、カード搬送路５で搬送されるカード２の幅方向である。
【００３２】
以下の説明では、Ｘ方向を前後方向、Ｙ方向を左右方向、Ｚ方向を上下方向とする。また、前後方向の一方側である図１等のＸ１方向側を「前」側とし、その反対側である図１等のＸ２方向側を「後ろ」側とし、上下方向の一方側である図１等のＺ１方向側を「上」側とし、その反対側である図１等のＺ２方向側を「下」側とする。本形態の前方向（Ｘ１方向）は、カード２の移動方向の一方である第１方向となっており、後ろ方向（Ｘ２方向）は、第１方向の反対方向である第２方向となっている。なお、本形態のカード２は、カード２の裏面が下側を向いた状態で、カードリーダ１に挿入されて、カード搬送路５で搬送される。
【００３３】
駆動ローラ３には、ベルトやプーリ等の動力伝達機構を介してモータが連結されている。駆動ローラ３とパッドローラ４とは、上下方向で対向している。パッドローラ４は、駆動ローラ３に向かって付勢されている。カード２は、駆動ローラ３とパッドローラ４との間に挟まれた状態で搬送される。また、カードリーダ１は、カード２の磁気ストライプ２ａに記録された磁気データの読取りおよびカード２の磁気ストライプ２ａへの磁気データの記録を行う磁気ヘッド６を有する磁気ヘッドユニット７を備えている。以下、磁気ヘッドユニット７および磁気ヘッドユニット７の周辺部の構成について説明する。
【００３４】
（磁気ヘッドユニットおよび磁気ヘッドユニットの周辺部の構成）
図３〜図６は、図１に示す磁気ヘッドユニット７の構成を説明するための斜視図である。図７は、図４に示すフレキシブルプリント基板１２の構成を説明するための図である。図８は、図６に示すフレキシブルプリント基板１１、１２の引き回しを説明するための概略図である。
【００３５】
磁気ヘッドユニット７は、磁気ヘッド６に加えて、磁気ヘッド６を保持するヘッド保持板１０と、磁気ヘッド６から引き出される第１フレキシブルプリント基板としてのフレキシブルプリント基板１１（以下、「ＦＰＣ１１」とする。）と、磁気ヘッド６から引き出される第２フレキシブルプリント基板としてのフレキシブルプリント１２（以下、「ＦＰＣ１２」とする。）と、磁気ヘッド６に固定されるリジッド基板１３とを備えている。なお、図１では、ＦＰＣ１１、１２等の図示を省略し、図８では、ヘッド保持板１０およびリジッド基板１３等の図示を省略している。
【００３６】
ＦＰＣ１１とＦＰＣ１２とは、別体で形成されている。ＦＰＣ１１には、磁気ヘッド６で読み取られた磁気データの読取り信号を伝える読取り信号配線（読取り信号パターン）が形成されている。ＦＰＣ１２には、磁気ヘッド６で記録される磁気データの記録信号を伝える記録信号配線（記録信号パターン）が形成されている。具体的には、以下で説明するように、本形態の磁気ヘッド６は、３チャンネル型の磁気ヘッドであり、ＦＰＣ１１には、３チャンネル分の磁気データの読取り信号を伝える読取り信号配線が形成され、ＦＰＣ１２には、３チャンネル分の磁気データの記録信号を伝える記録信号配線が形成されている。
【００３７】
磁気ヘッド６は、磁気ストライプ２ａの３つのトラックに記録された磁気データの読取りと、磁気ストライプ２ａの３つのトラックへの磁気データの記録とが可能な３チャンネル型の磁気ヘッドである。磁気ヘッド６の幅（左右方向の幅）は、比較的広くなっている。磁気ヘッド６は、下側からカード搬送路５に臨むように配置されている。具体的には、磁気ヘッド６は、磁気ヘッド６の磁気ギャップがカード搬送路５に下側から臨むように配置されている。磁気ヘッド６の上側には、磁気ヘッド６に対向するパッドローラ等の対向部材が配置されている。
【００３８】
磁気ヘッド６は、磁気データを読み取るためのリードコア（図示省略）と、磁気データを記録するためのライトコア（図示省略）と、リードコアに巻回されるリード用のコイル（図示省略）と、ライトコアに巻回されるライト用のコイル（図示省略）と、リード用のコイルの端部が電気的に接続される端子１６と、ライト用のコイルの端部が電気的に接続される端子１７とを備えている。上述のように、本形態の磁気ヘッド６は、３チャンネル型の磁気ヘッドであるため、磁気ヘッド６は、６本の端子１６と、６本の端子１７とを備えている（図３参照）。また、磁気ヘッド６は、ライトコア、リードコア、リード用のコイル、ライト用のコイルおよび端子１６、１７が収容されるケース体１８を備えている。
【００３９】
ヘッド保持板１０は、薄い金属板を所定形状に折り曲げることで形成された板バネである。ヘッド保持板１０は、前後方向を長手方向とする略長方形状に形成されている。磁気ヘッド６の下端部は、ヘッド保持板１０の前端側に接着されて固定されている。ヘッド保持板１０は、図示を省略するバネ部材によって上側に付勢されている。また、ヘッド保持板１０は、カードリーダ１のフレーム２０（図８参照）に固定される２本の支持ピン２１（図１参照）によって支持されている。２本の支持ピン２１は、前後方向に間隔をあけた状態で配置されている。
【００４０】
ヘッド保持板１０の前端部には、上下方向に貫通する貫通穴１０ａが形成されている。ヘッド保持板１０の後端部には、上下方向に貫通する貫通穴１０ｂが形成されている。貫通穴１０ａは、前後方向を長手方向とする長穴であり、貫通穴１０ｂは、丸穴である。貫通穴１０ａ、１０ｂには、支持ピン２１が上側から挿通されている。
【００４１】
ヘッド保持板１０は、前後方向を回動の軸方向とする回動が可能となるように２本の支持ピン２１に支持されており、ヘッド保持板１０に固定される磁気ヘッド６は、前後方向を回動の軸方向とする回動が可能となっている。また、ヘッド保持板１０は、上下方向への移動が可能となるように２本の支持ピン２１に支持されており、ヘッド保持板１０に固定される磁気ヘッド６は、上下方向への移動が可能となっている。そのため、カード搬送路５で搬送されるカード２がある程度曲がっていても、磁気ヘッド６をカード２に追従させて接触させることが可能になっている。
【００４２】
リジッド基板１３は、略長方形の平板状に形成されており、リジッド基板１３の厚さ方向と上下方向とが一致するように配置されている。リジッド基板１３には、ＦＰＣ１１が接続されている。具体的には、図６に示すように、リジッド基板１３の下面に、コネクタ２２が実装されており、コネクタ２２にＦＰＣ１１の一端が差し込まれて、ＦＰＣ１１がリジッド基板１３に電気的に接続されている。コネクタ２２は、リジッド基板１３の下面の前端側に実装されている。ＦＰＣ１１の一端は、コネクタ２２に前側から差し込まれている。なお、ＦＰＣ１１の一端は、リジッド基板１３に半田付けされていても良い。
【００４３】
リジッド基板１３には、端子１６から出力されるアナログ状の出力信号を復調してデジタル状の復調信号を生成する復調用電子部品として復調ＩＣ２３が実装されている（図５参照）。また、リジッド基板１３には、復調信号を暗号化してＦＰＣ１１で伝達される磁気データの読取り信号を生成する暗号化電子部品としてのＣＰＵ２４が実装されている（図６参照）。すなわち、本形態の磁気データの読取り信号は、デジタル状の復調信号が暗号化された暗号化信号である。ＣＰＵ２４は、所定の暗号化関数と鍵データとによって復調信号を暗号化して暗号化信号である磁気データの読取り信号を生成する。
【００４４】
復調ＩＣ２３は、リジッド基板１３の上面に実装されている。端子１６とリジッド基板１３の上面とは、フレキシブルプリント基板２５（以下、「ＦＰＣ２５」とする。）によって電気的に接続されている。ＦＰＣ２５は、６本の端子１６に半田付けされる固定部２５ａと、固定部２５ａから引き出される帯状の引出し部２５ｂとを備えている。引出し部２５ｂの一端は、固定部２５ａの左右方向の一端に繋がっている。引出し部２５ｂの他端は、リジッド基板１３の上面に半田付けされているか、あるいは、リジッド基板１３の上面に実装されるコネクタ（図示省略）に差し込まれている。
【００４５】
ＣＰＵ２４は、リジッド基板１３の下面に実装されている。また、リジッド基板１３は、ケース体１８の下端に固定されている。復調ＩＣ２３は、ケース体１８の内部に配置されている。一方、ＣＰＵ２４は、ケース体１８の外部に配置されている。ケース体１８の内部には、接着剤が充填されており、リジッド基板１３の上面に実装される復調ＩＣ２３は、接着剤で覆われている。
【００４６】
ＦＰＣ１１は、磁気データの読取り信号を伝える読取り信号配線が形成されるデータ信号層と、データ信号層を両側から覆う絶縁層とを備えている。絶縁層は、絶縁性の樹脂で形成されている。ＦＰＣ１１の一端は、上述のように、コネクタ２２に差し込まれている。ＦＰＣ１１の他端は、カードリーダ１のメイン回路基板（図示省略）に電気的に接続されている。
【００４７】
ＦＰＣ１２は、６本の端子１７に半田付けされる固定部１２ａと、固定部１２ａの後端に一端が繋がる接続部１２ｂと、接続部１２ｂの他端に繋がるとともにリジッド基板１３の下面を覆う正方形状または長方形状の覆部１２ｃと、覆部１２ｃから引き出される帯状の引出し部１２ｄと、カードリーダ１のフレーム２０に固定される固定部１２ｅと、固定部１２ｅから引き出される帯状の引出し部１２ｆと、カードリーダ１のメイン回路基板（図示省略）に電気的に接続される固定部１２ｇとを備えている。
【００４８】
固定部１２ｅは、略円形状に形成されている。引出し部１２ｄの一端は、覆部１２ｃに繋がり、引出し部１２ｄの他端は、固定部１２ｅに繋がっている。引出し部１２ｆの一端は、固定部１２ｅに繋がり、引出し部１２ｆの他端は、固定部１２ｇに繋がっている。帯状に形成される引出し部１２ｄの幅は、固定部１２ｅの外径よりも小さくなっている。また、引出し部１２ｄの幅は、帯状に形成される引出し部１２ｆの幅よりも狭くなっている。
【００４９】
また、図７に示すように、ＦＰＣ１２は、磁気データの記録信号を伝える記録信号配線が形成されるデータ信号層２９と、自身が断線したことおよび短絡したことを検知するための破壊検知信号配線が形成される破壊検知信号層３０と、自身が断線したことおよび短絡したことを検知するための第２破壊検知信号配線が形成される第２破壊検知信号層としての破壊検知信号層３１と、４個の絶縁層３２〜３５とを備えている。
【００５０】
破壊検知信号層３０に形成される破壊検知信号配線は、自身が断線したことを検知するための断線検知信号を伝える断線検知信号配線と、自身が短絡したことを検知するための短絡検知信号を伝える短絡検知信号配線とから構成されている。同様に、破壊検知信号層３１に形成される第２破壊検知信号配線は、自身が断線したことを検知するための断線検知信号を伝える断線検知信号配線と、自身が短絡したことを検知するための短絡検知信号を伝える短絡検知信号配線とから構成されている。
【００５１】
破壊検知信号層３０の破壊検知信号配線および破壊検知信号層３１の第２破壊検知信号配線では、カード２へ磁気データの記録を行う前の所定のタイミングで断線検知信号と短絡検知信号とが伝達される。ただし、破壊検知信号層３０の破壊検知信号配線および破壊検知信号層３１の第２破壊検知信号配線において、カード２へ磁気データの記録を行っている最中にも、断線検知信号と短絡検知信号とが伝達されても良い。
【００５２】
データ信号層２９は、絶縁層３２、３３によって両側から覆われている。破壊検知信号層３０は、絶縁層３２、３４によって両側から覆われ、破壊検知信号層３１は、絶縁層３３、３５によって両側から覆われている。すなわち、ＦＰＣ１２では、絶縁層３４と破壊検知信号層３０と絶縁層３２とデータ信号層２９と絶縁層３３と破壊検知信号層３１と絶縁層３５とがこの順番で積層されており、データ信号層２９は、絶縁層３２を介して破壊検知信号層３０と重なるとともに、絶縁層３３を介して破壊検知信号層３１と重なっている。
【００５３】
本形態のＦＰＣ１２では、破壊検知信号層３０および絶縁層３４は、覆部１２ｃ、引出し部１２ｄ、１２ｆおよび固定部１２ｅ、１２ｇに形成されており、固定部１２ａおよび接続部１２ｂには形成されていない。また、本形態のＦＰＣ１２では、破壊検知信号層３１および絶縁層３５は、固定部１２ｅ、１２ｇおよび引出し部１２ｆに形成されており、固定部１２ａ、接続部１２ｂ、覆部１２ｃおよび引出し部１２ｄには形成されていない。
【００５４】
覆部１２ｃおよび引出し部１２ｄでは、データ信号層２９の全体が破壊検知信号層３０によって一方側から覆われている。固定部１２ｅ、１２ｇおよび引出し部１２ｆでは、データ信号層２９の全体が破壊検知信号層３０によって一方側から覆われるとともに、データ信号層２９の全体が破壊検知信号層３１によって他方側から覆われている。なお、覆部１２ｃに破壊検知信号層３０および絶縁層３４が形成されていなくても良い。
【００５５】
磁気ヘッドユニット７では、図３に示すように、まず、ＦＰＣ２５の固定部２５ａが６本の端子１６に半田付されて固定される。その後、図４に示すように、ＦＰＣ１２の固定部１２ａが固定部２５ａに下側から重なるように配置されるとともに６本の端子１７に半田付けされて固定される。その後、図５に示すように、ＦＰＣ２５の引出し部２５ｂの他端がリジッド基板１３の上面に接続されてから、図６に示すように、リジッド基板１３がケース体１８の下端に固定される。ＦＰＣ１２の接続部１２ｂは、リジッド基板１３の下側に配置されており、ケース体１８の内部に配置されている。
【００５６】
その後、ＦＰＣ１２の覆部１２ｃによってリジッド基板１３の下面が覆われるように、覆部１２ｃの上面がリジッド基板１３の下面に固定される。本形態では、コネクタ２２およびＣＰＵ２４を避けた位置に塗布される接着剤によって、覆部１２ｃの上面がリジッド基板１３の下面に固定される。リジッド基板１３の下面に実装されるコネクタ２２およびＣＰＵ２４は、覆部１２ｃに覆われている。すなわち、ＦＰＣ１２は、コネクタ２２およびＣＰＵ２４を覆っている。接続部１２ｂの他端は、リジッド基板１３に固定された覆部１２ｃの後端に繋がっている。なお、覆部１２ｃをリジッド基板１３に固定するための接着剤は、ＣＰＵ２４が配置された箇所に塗布されても良い。
【００５７】
上述のように、ＦＰＣ１１の一端は、コネクタ２２に前側から差し込まれており、ＦＰＣ１１は、リジッド基板１３から前側に引き出されている。ＦＰＣ１２の引出し部１２ｄは、リジッド基板１３に固定された覆部１２ｃの前端に繋がっており、覆部１２ｃから前側に引き出されている。また、ＦＰＣ１１とＦＰＣ１２とは、ＦＰＣ１１とＦＰＣ１２とが重なった状態で磁気ヘッド６から引き出されている。具体的には、ＦＰＣ１１とＦＰＣ１２とは、ＦＰＣ１１と引出し部１２ｄとが上下方向で重なった状態で磁気ヘッド６の下端から前側に引き出されている。
【００５８】
図８に示すように、ＦＰＣ１１、１２は、磁気ヘッド６から前側に引き出された後に折り返されて後ろ側に伸びている。具体的には、磁気ヘッド６から前側に向かって引き出されたＦＰＣ１１、１２は、磁気ヘッド６から引き出された直後に、磁気ヘッド６よりも下側で１８０°折り返されて後ろ側に伸びている。ＦＰＣ１２では、引出し部１２ｄが折り返されている。ＦＰＣ１１の、折り返されて後ろ側に伸びる部分と、ＦＰＣ１２の、折り返されて後ろ側に伸びる部分とは、上下方向で重なっている。
【００５９】
ＦＰＣ１１の、折り返される前の前側へ伸びる部分は、ＦＰＣ１２の、折り返される前の前側へ伸びる部分よりも上側に配置されている。また、ＦＰＣ１２の、折り返されて後ろ側に伸びる部分は、ＦＰＣ１１の、折り返されて後ろ側に伸びる部分よりも上側に配置されている。すなわち、ＦＰＣ１２の、折り返されて後ろ側に伸びる部分は、ＦＰＣ１１の、折り返されて後ろ側に伸びる部分よりも磁気ヘッド６側に配置されている。また、ＦＰＣ１２の、折り返されて後ろ側に伸びる部分は、ＦＰＣ１１の、折り返されて後ろ側に伸びる部分に下側から覆われている。
【００６０】
また、ＦＰＣ１１、１２の、折り返されて後ろ側に伸びる部分は、後ろ側に向かって所定の位置まで引き回された後、ネジ３７によってフレーム２０に固定されている。すなわち、ネジ３７は、ＦＰＣ１１、１２の、折り返されて後ろ側へ伸びる部分をフレーム２０に固定している。具体的には、ＦＰＣ１１に形成される固定部がネジ３７によってフレーム２０に固定されるとともに、ＦＰＣ１２の固定部１２ｅがネジ３７によってフレーム２０に固定されている。
【００６１】
ＦＰＣ１１の固定部には、ネジ３７が挿通される貫通穴が形成され、固定部１２ｅにも、ネジ３７が挿通される貫通穴１２ｈ（図４参照）が形成されている。上述のように、ＦＰＣ１１の、折り返されて後ろ側に伸びる部分と、ＦＰＣ１２の、折り返されて後ろ側に伸びる部分とが上下方向で重なっているため、ＦＰＣ１１の固定部と固定部１２ｅとは上下方向で重なっている。なお、ヘッド保持板１０にもネジ３７が挿通される貫通穴１０ｃが形成されている。また、本形態では、所定の部材を介してＦＰＣ１１の固定部および固定部１２ｅがフレーム２０に固定されている。
【００６２】
フレーム２０に固定されたＦＰＣ１１、１２は、さらに、後ろ側に向かって引き回された後、折り返されて、前側に伸びている。ＦＰＣ１１、１２は、折り返されて前側に伸びた後、所定の位置でカードリーダ１のメイン回路基板に接続されている。ＦＰＣ１１、１２の、折り返されて前側に向かって伸びる部分も所定の位置まで上下方向で重なっている。このように本形態では、重なった状態で磁気ヘッド６から引き出されたＦＰＣ１１、１２は、所定の位置までＦＰＣ１１とＦＰＣ１２とが重なった状態で引き回されている。
【００６３】
リジッド基板１３の下面に固定される覆部１２ｃでは、データ信号層２９は、破壊検知信号層３０よりも下側に配置されている。すなわち、引出し部１２ｄの、磁気ヘッド６から前側に向かって引き出された部分では、データ信号層２９は、破壊検知信号層３０よりも下側に配置されている。また、ＦＰＣ１２の、折り返されて後ろ側へ伸びる部分では、データ信号層２９は、破壊検知信号層３０よりも上側に配置されている。すなわち、ＦＰＣ１２の、折り返されて後ろ側へ伸びる部分では、データ信号層２９は、破壊検知信号層３０よりも磁気ヘッド６側に配置されており、破壊検知信号層３０よりもカードリーダ１の内側に配置されている。
【００６４】
上述のように、覆部１２ｃおよび引出し部１２ｄでは、データ信号層２９が破壊検知信号層３０によって一方側から覆われている。すなわち、磁気ヘッド６に繋がるＦＰＣ１２の一端部とネジ３７との間では、データ信号層２９は、破壊検知信号層３０によって一方側から覆われている。
【００６５】
また、上述のように、固定部１２ｅ、１２ｇおよび引出し部１２ｆでは、データ信号層２９が破壊検知信号層３０によって一方側から覆われるとともに、データ信号層２９が破壊検知信号層３１によって他方側から覆われている。すなわち、ＦＰＣ１２の他端部とネジ３７との間では、データ信号層２９は、破壊検知信号層３０と破壊検知信号層３１とに挟まれていて、破壊検知信号層３０によって一方側から覆われ、破壊検知信号層３１によって他方側から覆われている。
【００６６】
（本形態の主な効果）
以上説明したように、本形態では、３チャンネル分の磁気データの読取り信号を伝える読取り信号配線が形成されるＦＰＣ１１と、３チャンネル分の磁気データの記録信号を伝える記録信号配線が形成されるＦＰＣ１２とが別体で形成されている。そのため、本形態では、１本のフレキシブルプリント基板に、３チャンネル分の磁気データの読取り信号を伝える読取り信号配線が形成されるデータ信号層と３チャンネル分の磁気データの記録信号を伝える記録信号配線が形成されるデータ信号層とが積層されて形成されている場合と比較して、ＦＰＣ１１、１２のコストを低減することが可能になる。
【００６７】
また、本形態では、ＦＰＣ１１とＦＰＣ１２とは、ＦＰＣ１１とＦＰＣ１２とが重なった状態で磁気ヘッド６から引き出されているとともに、ＦＰＣ１１とＦＰＣ１２とが重なった状態で所定の位置まで引き回されている。そのため、本形態では、１本のフレキシブルプリント基板の同じデータ信号層に、３チャンネル分の磁気データの読取り信号を伝える読取り信号配線と３チャンネル分の磁気データの記録信号を伝える記録信号配線とが形成されていて、磁気ヘッド６から引き出されて引き回されるフレキシブルプリント基板の幅が広くなる場合と比較して、曲ったカード２に対する磁気ヘッド６の追従性を確保することが可能になる。
【００６８】
したがって、本形態では、磁気ヘッド６が３チャンネル型の磁気ヘッドであって磁気ヘッド６の幅が比較的広くなっていても、また、カード２に記録された磁気データの読取りとカード２への磁気データの記録とを磁気ヘッド６で行う場合であっても、磁気ヘッド６から引き出されるＦＰＣ１１、１２のコストを低減しつつ、曲ったカード２に対する磁気ヘッド６の追従性を確保することが可能になる。
【００６９】
本形態では、ＦＰＣ１２の覆部１２ｃは、ＣＰＵ２４を覆っている。そのため、本形態では、復調信号を暗号化して読取り信号を生成するＣＰＵ２４をＦＰＣ１２で保護することが可能になる。
【００７０】
本形態では、ＦＰＣ１２の、折り返されて後ろ側に伸びる部分は、ＦＰＣ１１の、折り返されて後ろ側に伸びる部分よりも上側に配置されており、カードリーダ１の下側から見たときに、ＦＰＣ１２の、折り返されて後ろ側に伸びる部分は、ＦＰＣ１１の、折り返されて後ろ側に伸びる部分に下側から覆われている。そのため、本形態では、犯罪者は、データ不正取得用の信号線をカードリーダ１の下側からＦＰＣ１２のデータ信号層２９の記録信号配線に取り付けにくくなる。したがって、本形態では、犯罪者による磁気データの記録信号の不正取得を阻止することが可能になる。なお、ＦＰＣ１１の読取り信号配線を伝わる磁気データの読取り信号は、暗号化信号であるため、犯罪者がデータ不正取得用の信号線をカードリーダ１の下側からＦＰＣ１１のデータ信号層に取り付けても、有意な磁気データを取得することは困難である。
【００７１】
本形態では、ＦＰＣ１２は、破壊検知信号層３０、３１を備えている。そのため、本形態では、犯罪者が磁気データの記録信号を不正に取得しようとして、データ不正取得用の信号線をデータ信号層２９の記録信号配線に取り付けようとしたときに、破壊検知信号層３０の破壊検知信号配線や破壊検知信号層３１の第２破壊検知信号配線に断線や短絡を生じさせることが可能になり、その結果、犯罪行為が行われていることを検知することが可能になる。したがって、本形態では、犯罪者による磁気データの記録信号の不正取得を阻止することが可能になる。
【００７２】
本形態では、ＦＰＣ１２の、折り返されて後ろ側へ伸びる部分において、データ信号層２９は、破壊検知信号層３０よりも上側に配置されており、破壊検知信号層３０よりもカードリーダ１の内側に配置されている。そのため、本形態では、ＦＰＣ１２の、折り返されて後ろ側へ伸びる部分において、犯罪者が磁気データの記録信号を不正に取得しようとして、データ不正取得用の信号線をカードリーダ１の下側からデータ信号層２９の記録信号配線に取り付けようとしたときに、破壊検知信号層３０の破壊検知信号配線に断線や短絡が生じやすくなり、その結果、犯罪行為が行われていることをより検知しやすくなる。したがって、本形態では、犯罪者による磁気データの記録信号の不正取得を効果的に阻止することが可能になる。
【００７３】
本形態では、ＦＰＣ１２の引出し部１２ｄにおいて、データ信号層２９は、破壊検知信号層３０によって一方側から覆われているが、破壊検知信号層３１によって他方側から覆われていない。そのため、本形態では、引出し部１２ｄの厚さを薄くすることが可能になる。したがって、本形態では、引出し部１２ｄに破壊検知信号層３０が形成されていても、磁気ヘッド６とネジ３７との間に配置される引出し部１２ｄの剛性を低下させることが可能になり、その結果、曲ったカード２に対する磁気ヘッド６の追従性を確保することが可能になる。
【００７４】
また、本形態では、固定部１２ｅ、１２ｇおよび引出し部１２ｆでは、データ信号層２９は、破壊検知信号層３０と破壊検知信号層３１とに挟まれていて、データ信号層２９が破壊検知信号層３０によって一方側から覆われるとともに、データ信号層２９の全体が破壊検知信号層３１によって他方側から覆われている。そのため、本形態では、固定部１２ｅ、１２ｇおよび引出し部１２ｆがどのように引き回されていても、犯罪者が磁気データの記録信号を不正に取得しようとして、データ不正取得用の信号線をデータ信号層２９の記録信号配線に取り付けようとしたときに、破壊検知信号層３０の破壊検知信号配線や破壊検知信号層３１の第２破壊検知信号配線に断線や短絡を生じさせて、犯罪行為が行われていることを検知することが可能になる。したがって、本形態では、犯罪者による磁気データの記録信号の不正取得を効果的に阻止することが可能になる。
【００７５】
なお、本形態では、固定部１２ｅ、１２ｇおよび引出し部１２ｆは、曲ったカード２に対する磁気ヘッド６の追従性に影響を与えない。そのため、本形態では、固定部１２ｅ、１２ｇおよび引出し部１２ｆに破壊検知信号層３１が形成されていて、固定部１２ｅ、１２ｇおよび引出し部１２ｆの厚さが厚くなっていても、曲ったカード２に対する磁気ヘッド６の追従性を確保することが可能になる。
【００７６】
本形態では、ＦＰＣ１２の覆部１２ｃは、リジッド基板１３に接着固定されているが、覆部１２ｃは、コネクタ２２を避けた位置に塗布される接着剤によってリジッド基板１３に固定されている。そのため、本形態では、コネクタ２２に差し込まれたＦＰＣ１１の一端をコネクタ２２から容易に抜くことが可能になる。したがって、本形態では、磁気ヘッド６等に問題が生じて磁気ヘッドユニット７を交換しなければならない場合でも、ＦＰＣ１１の一端をコネクタ２２から抜いて、ＦＰＣ１１を再利用することが可能になる。
【００７７】
（他の実施の形態）
上述した形態は、本発明の好適な形態の一例ではあるが、これに限定されるものではなく本発明の要旨を変更しない範囲において種々変形実施が可能である。
【００７８】
上述した形態では、覆部１２ｃにおいて、データ信号層２９は破壊検知信号層３０より下側に配置されているが、覆部１２ｃにおいて、データ信号層２９は破壊検知信号層３０より上側に配置されていても良い。また、上述した形態において、覆部１２ｃおよび引出し部１２ｄに破壊検知信号層３１および絶縁層３５が形成されていても良い。また、上述した形態において、ＦＰＣ１２に、破壊検知信号層３１および絶縁層３５が形成されていなくても良いし、破壊検知信号層３０および絶縁層３４が形成されていなくても良い。
【００７９】
上述した形態において、ＦＰＣ１２の、折り返されて後ろ側に伸びる部分は、ＦＰＣ１１の、折り返されて後ろ側に伸びる部分より下側に配置されていても良い。また、上述した形態において、破壊検知信号層３０に形成される破壊検知信号配線は、自身が断線したことのみを検知する機能を果たしても良いし、自身が短絡したことのみを検知する機能を果たしても良い。同様に、破壊検知信号層３１に形成される第２破壊検知信号配線は、自身が断線したことのみを検知する機能を果たしても良いし、自身が短絡したことのみを検知する機能を果たしても良い。
【００８０】
上述した形態において、ＦＰＣ１１の一端が直接、端子１６に半田付けされていても良い。また、上述した形態において、カードリーダ１は、ユーザが手動でカード２を移動させながら、磁気データの読取りや記録を行う手動式のカードリーダであっても良い。また、上述した形態において、カード２は、厚さが０．１８〜０．３６ｍｍ程度のＰＥＴ（ポリエチレンテレフタレート）カードであっても良いし、所定の厚さの紙カード等であっても良い。
【００８１】
なお、上述した形態では、ＦＰＣ１１とＦＰＣ１２とが別体で形成されているため、カードリーダ１において、カード２に磁気データを記録する必要がない場合には、ＦＰＣ１２を取り外せば、そのまま、磁気データの読取り専用のカードリーダ１とすることが可能である。
【符号の説明】
【００８２】
１  カードリーダ
２  カード
６  磁気ヘッド
７  磁気ヘッドユニット
１０  ヘッド保持板
１１  ＦＰＣ（第１フレキシブルプリント基板）
１２  ＦＰＣ（第２フレキシブルプリント基板）
１３  リジッド基板
１６  端子
１８  ケース体
２１  支持ピン
２３  復調ＩＣ（復調用電子部品）
２４  ＣＰＵ（暗号化用電子部品）
２９  データ信号層
３０  破壊検知信号層
３１  破壊検知信号層（第２破壊検知信号層）
３７  ネジ
Ｘ  カードの移動方向
Ｘ１  第１方向
Ｘ２  第２方向
【図１】
2019149214.tif 000003
【図２】
2019149214.tif 000004
【図３】
2019149214.tif 000005
【図４】
2019149214.tif 000006
【図５】
2019149214.tif 000007
【図６】
2019149214.tif 000008
【図７】
2019149214.tif 000009
【図８】
2019149214.tif 000010